(57)【要約】【課題】  適合しない二次電池パックを装着された状態で充電装置に接続された場合でも、この二次電池パックに対して充電が行なわれないようにして、二次電池パックや携帯端末装置が充電により破損するのを防止することができる携帯端末装置を提供する。【解決手段】  二次電池パック３０が保持するＩＤ情報を抽出するＩＤ抽出手段２０と、充電装置４０に接続された状態のときに充電装置から二次電池パックへの給電動作のＯＮ／ＯＦＦの切替え機能を有する電源回路８と、前記ＩＤ抽出手段により抽出されたＩＤ情報に基づいて前記二次電池パックが自機に適合するものであるかどうかについての認証手続を行なうと共に、この認証手続の判断結果が適合する旨であった場合には前記電源回路に給電動作を行なわせるよう制御する制御手段２２とを備えた。【選択図】      図１
2005341775.tif 000002
【特許請求の範囲】
【請求項１】
充電装置に接続可能であり、二次電池パックが着脱自在の携帯端末装置であって、
前記二次電池パックが保持するＩＤ情報を抽出するＩＤ抽出手段と、
前記二次電池パックが装着されると共に前記充電装置に接続された状態のときにこの充電装置と二次電池パックとの間を回路接続する給電用回路が一部に形成され、この給電用回路による充電装置から二次電池パックへの給電動作のＯＮ／ＯＦＦの切替え機能を有する電源回路と、
前記充電装置に接続したときに、前記ＩＤ抽出手段により抽出されたＩＤ情報に基づいて前記二次電池パックが自機に適合するものであるかどうかについての認証手続を行なうと共に、この認証手続の判断結果が適合する旨であった場合には前記電源回路に給電動作を行なわせ、認証手続の判断結果が適合しない旨であった場合には前記電源回路に給電動作を行なわせないよう制御する制御手段と
を備えていることを特徴とする携帯端末装置。
【請求項２】
前記制御手段は、前記ＩＤ抽出手段により前記二次電池パックのＩＤ情報が抽出されなかった場合に、前記電源回路に給電動作を行なわせないよう制御することを特徴とする請求項１に記載の携帯端末装置。
【請求項３】
比較用情報を記憶する記憶手段を備え、
前記制御手段は、前記認証手続として、前記比較用情報に前記ＩＤ情報に対応するものを有する場合に前記二次電池パックが自機に適合するものであると判断することを特徴とする請求項１又は請求項２に記載の携帯端末装置。
【請求項４】
通信網に接続可能な通信手段を備え、
前記制御手段は、前記認証手続として、前記通信手段により前記ＩＤ情報と自機に関する所定の情報を通信網に接続されたサーバに送信し、前記二次電池パックが自機に適合するかどうかについてサーバに問い合わせるようにしたことを特徴とする請求項１又は請求項２に記載の携帯端末装置。
【請求項５】
比較用情報を記憶する記憶手段と、
通信網に接続可能な通信手段とを備え、
前記制御手段は、前記認証手続として、前記比較用情報に前記ＩＤ情報に対応するものを有する場合に前記二次電池パックが自機に適合するものであると判断し、前記比較用情報に前記ＩＤ情報に対応するものを有していない場合には前記通信手段によりＩＤ情報と自機に関する所定の情報を通信網に接続されたサーバに送信して二次電池パックが自機に適合するかどうかについてサーバに問い合わせるようにしたことを特徴とする請求項１又は請求項２に記載の携帯端末装置。
【請求項６】
前記制御手段は、前記認証手続として前記通信手段により前記二次電池パックが自機に適合するかどうかについてサーバに問い合わせた場合であって、この結果が適合する旨であった場合には、前記記憶手段から比較用情報を消去すると共にＩＤ情報を新たな比較用情報として記憶させることを特徴とする請求項５に記載の携帯端末装置。
【請求項７】
前記二次電池パックが取り外された場合に、前記記憶手段に記憶されている比較用情報の全部又は一部が消去されることを特徴とする請求項６に記載の携帯端末装置。
【請求項８】
前記二次電池パックが取り外されると共にこの二次電池パックと異なる他の二次電池パックが装着された場合に、前記記憶手段に記憶されている比較用情報の全部又は一部が消去されることを特徴とする請求項６に記載の携帯端末装置。
【請求項９】
自機の主電源を切断する操作が行なわれた場合に、前記記憶手段に記憶されている比較用情報の全部又は一部が消去されることを特徴とする請求項６に記載の携帯端末装置。
【請求項１０】
少なくとも表示手段又はスピーカーのいずれかを備え、
前記制御手段は、前記通信手段が前記サーバとの通信接続を確立することができない場合に、前記電源回路による給電動作を行なわない旨を前記表示手段又はスピーカーにより報知させることを特徴とする請求項４ないし請求項９のいずれか一に記載の携帯端末装置。
【請求項１１】
前記制御手段は、前記認証手続の動作中であるときは前記充電装置から受電して動作することを特徴とする請求項１ないし請求項１０のいずれか一に記載の携帯端末装置。
【請求項１２】
前記ＩＤ抽出手段は、前記二次電池パックと非接触通信を行なうことにより前記ＩＤを取得する非接触リーダであることを特徴とする請求項１ないし請求項１１のいずれか一に記載の携帯端末装置。
【請求項１３】
携帯端末装置に装着して、充電装置から前記携帯端末装置を介して充電可能な二次電池を備える二次電池パックであって、
前記携帯端末装置にて、装着される二次電池パックが適合するものであるか否かの認証に用いられるＩＤ情報を保持する認証用記憶手段を備え、
前記携帯端末装置からの認証要求に応じて前記ＩＤ情報を出力し、前記携帯端末装置にて適合すると判断されて前記携帯端末装置からの給電がなされると前記二次電池の充電がなされることを特徴とする二次電池パック。
【請求項１４】
前記認証要求が無線であって、当該認証要求を受信することにより動作電力を生成して、前記ＩＤ情報を前記認証用記憶手段から読み出して無線出力する非接触出力手段を備えることを特徴とする請求項１３に記載の二次電池パック。
【発明の詳細な説明】
【技術分野】
【０００１】
本発明は、充電装置に接続可能であって、二次電池パックが着脱自在であり、二次電池パックを装着したままの状態で充電装置に接続すると、自動的にこの充電装置から二次電池パックへの給電動作が行なわれる携帯端末装置、及びこのような携帯端末装置に用いられる二次電池パックに関するものである。
【背景技術】
【０００２】
従来の携帯電話機等の携帯端末装置には、所定の充電装置に接続可能であると共に、この携帯端末装置に対応する二次電池パックが着脱自在になっているものがあった。また、このような携帯端末装置には、二次電池パックを装着したままの状態で充電装置に接続すると、その携帯端末装置の内部の電源回路が、充電装置から二次電池パックへの給電動作を自動的に開始させるようになっているものがあった。
【０００３】
さらに、このような携帯端末装置として、二次電池パックの充電が終了した後の一定時間内に、再び携帯端末装置が充電装置に接続された場合には、二次電池パック内の二次電池が既に飽和状態であることを迅速に判断し、飽和状態から更に充電が行なわれる不必要な充電動作を防止するようになっているものがあった（例えば、特許文献１参照）。
【特許文献１】特開２００３−４８２４号公報
【発明の開示】
【発明が解決しようとする課題】
【０００４】
しかしながら、前記特許文献１のような携帯端末装置では、この携帯端末装置に対応する二次電池パックと性能等が異なる他の種類の二次電池パックをその携帯端末装置にユーザーが気付かずに装着してしまった場合や、この携帯端末装置に対応する正規の二次電池パックを模倣したものであって、携帯端末装置に対して十分な保護手段を備えていない模倣品を誤ってその携帯端末装置に装着してしまった場合等には、これらが上記飽和後の不必要な充電動作により破損するおそれがあるという問題があった。
【０００５】
また、前記特許文献１のような携帯端末装置以外の他の携帯端末装置であっても、それに対応する二次電池パックと性能等が異なる他の種類の二次電池パックや、十分な保護手段を備えていない模倣品の二次電池パックを誤ってその携帯端末装置に装着してしまった場合等には、これらが上記飽和後の不必要な充電動作により破損するおそれがあるという問題があった。
【０００６】
また、このような種類の異なる二次電池パックや模倣品の二次電池パックに対して上記充電動作を行なった場合には、これらが破損するおそれがあるというだけでなく、このような種類の異なる二次電池パックや模倣品の二次電池パックを直接又は間接の原因として、これらが装着されている携帯端末装置等の破損等を招き、ユーザーが予期せぬ不利益を被るおそれがあるという問題があった。
【０００７】
そこで本発明は、上記問題点に鑑みて、適合しない二次電池パックを装着された状態で充電装置に接続された場合でも、この二次電池パックに対して充電が行なわれないようにして、二次電池パックや携帯端末装置が充電により破損するのを防止することができる携帯端末装置、及びこのような携帯端末装置に用いられる二次電池パックを提供することを課題とするものである。
【課題を解決するための手段】
【０００８】
上記課題を解決するために本発明は、
充電装置に接続可能であり、二次電池パックが着脱自在の携帯端末装置であって、
前記二次電池パックが保持するＩＤ情報を抽出するＩＤ抽出手段と、
前記二次電池パックが装着されると共に前記充電装置に接続された状態のときにこの充電装置と二次電池パックとの間を回路接続する給電用回路が一部に形成され、この給電用回路による充電装置から二次電池パックへの給電動作のＯＮ／ＯＦＦの切替え機能を有する電源回路と、
前記充電装置に接続したときに、前記ＩＤ抽出手段により抽出されたＩＤ情報に基づいて前記二次電池パックが自機に適合するものであるかどうかについての認証手続を行なうと共に、この認証手続の判断結果が適合する旨であった場合には前記電源回路に給電動作を行なわせ、認証手続の判断結果が適合しない旨であった場合には前記電源回路に給電動作を行なわせないよう制御する制御手段とを備えていることを特徴とするものである。
【０００９】
また、本発明による携帯端末装置は、
前記制御手段が、前記ＩＤ抽出手段により前記二次電池パックのＩＤ情報が抽出されなかった場合に、前記電源回路に給電動作を行なわせないよう制御することを特徴とするものである。
【００１０】
また、本発明による携帯端末装置は、
比較用情報を記憶する記憶手段を備え、
前記制御手段は、前記認証手続として、前記比較用情報に前記ＩＤ情報に対応するものを有する場合に前記二次電池パックが自機に適合するものであると判断することを特徴とするものである。
【００１１】
また、本発明による携帯端末装置は、
通信網に接続可能な通信手段を備え、
前記制御手段は、前記認証手続として、前記通信手段により前記ＩＤ情報と自機に関する所定の情報を通信網に接続されたサーバに送信し、前記二次電池パックが自機に適合するかどうかについてサーバに問い合わせるようにしたことを特徴とするものである。
【００１２】
また、本発明による携帯端末装置は、
比較用情報を記憶する記憶手段と、
通信網に接続可能な通信手段とを備え、
前記制御手段は、前記認証手続として、前記比較用情報に前記ＩＤ情報に対応するものを有する場合に前記二次電池パックが自機に適合するものであると判断し、前記比較用情報に前記ＩＤ情報に対応するものを有していない場合には前記通信手段によりＩＤ情報と自機に関する所定の情報を通信網に接続されたサーバに送信して二次電池パックが自機に適合するかどうかについてサーバに問い合わせるようにしたことを特徴とするものである。
【００１３】
また、本発明による携帯端末装置は、
前記制御手段は、前記認証手続として前記通信手段により前記二次電池パックが自機に適合するかどうかについてサーバに問い合わせた場合であって、この結果が適合する旨であった場合には、前記記憶手段から比較用情報を消去すると共にＩＤ情報を新たな比較用情報として記憶させることを特徴とするものである。
【００１４】
また、本発明による携帯端末装置は、
前記二次電池パックが取り外された場合に、前記記憶手段に記憶されている比較用情報の全部又は一部が消去されることを特徴とするものである。
【００１５】
また、本発明による携帯端末装置は、
前記二次電池パックが取り外されると共にこの二次電池パックと異なる他の二次電池パックが装着された場合に、前記記憶手段に記憶されている比較用情報の全部又は一部が消去されることを特徴とするものである。
【００１６】
また、本発明による携帯端末装置は、
前記制御手段が、自機の主電源を切断する操作が行なわれた場合に、前記記憶手段に記憶されている比較用情報の全部又は一部が消去されることを特徴とするものである。
【００１７】
また、本発明による携帯端末装置は、
少なくとも表示手段又はスピーカーのいずれかを備え、
前記制御手段は、前記通信手段が前記サーバとの通信接続を確立することができない場合に、前記電源回路による給電動作を行なわない旨を前記表示手段又はスピーカーにより報知させることを特徴とするものである。
【００１８】
また、本発明による携帯端末装置は、
前記制御手段が、前記認証手続の動作中であるときは前記充電装置から受電して動作することを特徴とするものである。
【００１９】
また、本発明による携帯端末装置は、
前記ＩＤ抽出手段が、前記二次電池パックと非接触通信を行なうことにより前記ＩＤを取得する非接触リーダであることを特徴とするものである。
【００２０】
また、上記課題を解決するために本発明は、
携帯端末装置に装着して、充電装置から前記携帯端末装置を介して充電可能な二次電池を備える二次電池パックであって、
前記携帯端末装置にて、装着される二次電池パックが適合するものであるか否かの認証に用いられるＩＤ情報を保持する認証用記憶手段を備え、
前記携帯端末装置からの認証要求に応じて前記ＩＤ情報を出力し、前記携帯端末装置にて適合すると判断されて前記携帯端末装置からの給電がなされると前記二次電池の充電がなされることを特徴とするものである。
【００２１】
また、本発明による二次電池パックは、
前記認証要求が無線であって、当該認証要求を受信することにより動作電力を生成して、前記ＩＤ情報を前記認証用記憶手段から読み出して無線出力する非接触出力手段を備えることを特徴とするものである。
【発明の効果】
【００２２】
このような本発明の携帯端末装置及び二次電池パックによれば、携帯端末装置が、適合しない二次電池パックを装着された状態で充電装置に接続された場合でも、この二次電池パックに対して充電が行なわれないようにして、二次電池パックや携帯端末装置が充電により破損するのを防止することができる。
【発明を実施するための最良の形態】
【００２３】
以下、本発明に係る携帯端末装置及び二次電池パックの実施の形態について、図面に基づいて具体的に説明する。
図１ないし図５は、本発明の一実施の形態に係る携帯電話機２（携帯端末装置に相当）、及びこの携帯電話機２に装着される二次電池パック３０について説明するために参照する図である。
【００２４】
図１は、携帯電話機２に二次電池パック３０を装着した状態の回路構成を示すブロック図である。携帯電話機２は、通信手段４、記憶手段６、電源回路８、音声処理手段１０、スピーカー１２、マイク１４、表示手段１６、操作手段１８、非接触リーダ２０（ＩＤ抽出手段に相当）、及びこれらを制御する制御手段２２を備えている。また、二次電池パック３０は、二次電池３２、認証用記憶手段３４及び非接触出力手段３６を備えている。
【００２５】
二次電池パック３０は携帯電話機２に装着されると、その二次電池３２が、携帯電話機２の電源回路８と回路接続されるようになっており、携帯電話機２は、通常の動作時において、装着された二次電池パック３０の二次電池３２から、電源回路８を介して受電するようになっている。
【００２６】
また、携帯電話機２は、この携帯電話機２に対応する所定の充電台４０（充電装置に相当）の上に載置されると、電源回路８と充電台４０の互いに対応する接続端子同士が接触して回路接続され、二次電池パック３０の二次電池３２が充電されることができるようになっている。
【００２７】
すなわち、図示してないが、電源回路８内の一部には、充電台４０と二次電池パック３０の二次電池３２の間を回路接続する給電回路が形成されており、電源回路８は、制御手段２２からの命令に基づいて、その給電回路による充電台４０から二次電池パック３０への給電動作のＯＮ／ＯＦＦを切替えるようになっている。
【００２８】
また、記憶手段６は、図２に示すように、不揮発性の第１記憶手段６ａと、揮発性の第２記憶手段６ｂを備えて構成されている。第１記憶手段６ａには、自機に関する所定の情報、並びに、比較用情報としての第１比較用情報及び第２比較用情報が記憶されている。また、第２記憶手段６ｂには、比較用情報としての第３比較用情報を記憶するようになっている。
【００２９】
第１記憶手段６ａは、自機に関する所定の情報として、この携帯電話機２のメーカー名や機種名等を記憶している。また、第１記憶手段６ａは、第１比較用情報として、後述する二次電池パック３０のＩＤ情報と比較するための情報であって、この携帯電話機２に適合する複数の二次電池パック３０のいずれかのＩＤ情報と一致する内容を予め記憶するようになっている。
【００３０】
第１記憶手段６ａに記憶される第２比較用情報は、第１比較用情報と同様に、二次電池パック３０のＩＤ情報と比較するための情報であって、この携帯電話機２に適合する複数の二次電池パック３０のいずれかのＩＤ情報と一致する内容になっているものである。そして、第１比較用情報と第２比較用情報のそれぞれは、互いに異なる二次電池パック３０に対応するようになっているため、この第１比較用情報と第２比較用情報は、互いに異なる内容になっている。
【００３１】
したがって、携帯電話機２は、ユーザーに引き渡される当初において、この携帯電話機２に適合する特定の２つの二次電池パック３０のそれぞれが保持するＩＤ情報と同じ内容の比較用情報を、第１比較用情報及び第２比較用情報として第１記憶手段６ａに記憶している。この第１比較用情報及び第２比較用情報は、第１記憶手段６ａが不揮発性であるために、第１記憶手段６ａへの給電が途切れても保持され続けるようになっており、また、異なる内容に書換えることができないようになっている。
【００３２】
また、第２記憶手段６ｂに記憶される第３比較用情報は、第１記憶手段６ａに記憶される第１比較用情報や第２比較用情報と同様に、後述する二次電池パック３０のＩＤ情報と比較するための情報であるが、第１比較用情報や第２比較用情報とは異なるＩＤ情報であって、やはりこの携帯電話機２に適合する複数の二次電池パック３０のいずれかのＩＤ情報と一致する内容を書込むことができるものである。
【００３３】
すなわち、第３比較用情報は、第１比較用情報又は第２比較用情報と一致するＩＤ情報の二次電池パック３０とは異なる別の二次電池パック３０に対応して、そのＩＤ情報の内容が書換えられるようになっている。また、第３比較用情報は、第２記憶手段６ｂへの給電が途切れると、第２記憶手段６ｂが揮発性であるために消去されるようになっている。
【００３４】
次に、二次電池パック３０は、図１に示すように、その認証用記憶手段３４と非接触出力手段３６が互いに回路接続されている。そして、その認証用記憶手段３４には、二次電池パック３０毎に異なる二次電池パック３０固有のＩＤ情報が記憶されている。
【００３５】
そして、携帯電話機２の非接触リーダ２０は、ＲＦＩＤ（Ｒａｄｉｏ  Ｆｒｅｑｕｅｎｃｙ  Ｉｄｅｎｔｉｆｉｃａｔｉｏｎ）の技術により、非接触出力手段３６との間で非接触式（無線式）通信を行ない、二次電池パック３０の認証用記憶手段３４に記憶されているＩＤ情報を読み取ることができるようになっている。
【００３６】
すなわち、二次電池パック３０が携帯電話機２に装着された場合でも、非接触リーダ２０と非接触出力手段３６は直接回路接続はされないが、制御手段２２の命令に基づいて非接触リーダ２０が認証要求の無線送信を行なうと、非接触出力手段３６は、二次電池パック３０内の二次電池３２から電源の供給を受けずに、非接触リーダ２０からの認証要求を受信することにより動作電力を生成し、これを電源として認証用記憶手段３４に記憶されているＩＤ情報を読み出すと共に、これを非接触リーダ２０に無線出力するようになっている。
【００３７】
また、携帯電話機２の通信手段４は、他の一般的な携帯電話機と同様に、無線通信により、最寄りの基地局５０を介して、公衆の通信網５２に接続することができるようになっている。通信網５２にはサーバ５４が接続されており、このサーバ５４には、携帯端末装置２と二次電池パック３０の適合性についての二次電池パック対応テーブルが保存されている。
【００３８】
図３に示すように、サーバ５４に保存されている二次電池パック対応テーブルには、携帯端末装置２のメーカー名及び機種名と、各々の携帯端末装置２に適合して装着することができる二次電池パック３０のＩＤ情報が、予め記録されている。
【００３９】
次に、図４のフローチャートに基づいて、二次電池パック３０が取り外されたときの携帯電話機２の動作について説明する。
【００４０】
後述するように、携帯電話機２の第２記憶手段６ｂ（図２参照）には、図５のフローチャートにおけるステップＳ１５の処理手続により、現在装着されている二次電池パック３０のＩＤ情報が、第３比較用情報として記憶されている場合がある。
【００４１】
携帯電話機２から二次電池パック３０が取り外されると、第２記憶手段６ｂが揮発性であるために、図４に示すように、この第２記憶手段６ｂに記憶されていた第３比較用情報は消去される。
【００４２】
次に、図５のフローチャートに基づき、制御手段２２が行なう認証手続について説明する。制御手段２２は、図１に示すように、携帯電話機２が充電台４０の上に載置されて、携帯電話機２の電源回路８と充電台４０が回路接続することにより、図５のフローチャートに示す認証手続を開始する。
【００４３】
また、制御手段２２は、電源回路８と充電台４０が回路接続してから認証手続が終了するまでの間は、電源回路８を制御することにより、二次電池パック３０の二次電池３２ではなく、充電台４０側から電力の供給を受けるようになっている。
【００４４】
携帯電話機２の制御手段２２は、認証手続を開始すると、最初に記憶手段６から第１比較用情報、第２比較用情報及び第３比較用情報を読み出すようになっている（図５中、ステップＳ１）。また、制御手段２２は、二次電池パック３０のＩＤ情報を非接触リーダ２０に抽出させるようになっている（ステップＳ２）。
【００４５】
そして、制御手段２２は、非接触リーダ２０が抽出したＩＤ情報が第１比較用情報、第２比較用情報又は第３比較用情報のいずれかと一致するかどうかを確認する（ステップＳ３）。ＩＤ情報が第１比較用情報、第２比較用情報又は第３比較用情報のいずれかと一致した場合には（ステップＳ３のＹＥＳ）、電源回路８に充電台４０から二次電池パック３０の二次電池３２への給電を開始させる（ステップＳ４）。
【００４６】
ＩＤ情報が第１比較用情報、第２比較用情報及び第３比較用情報のいずれにも一致しない場合には（ステップＳ３のＮＯ）、通信手段４に通信網５２のサーバ５４との通信接続を行なわせ（図１参照）、通信手段４が、サーバ５４との通信接続を確立することができなかった場合には（ステップＳ５のＹＥＳ）、制御手段２２は、電源回路８に二次電池３２への給電動作を行なわせないようにすると共に（ステップＳ６）、図１に示す表示手段１６又はスピーカー１２に、「認証に失敗したため給電動作を行なわない」旨をユーザーに報知させるようになっている（ステップＳ７）。
【００４７】
通信手段４が、サーバ５４との通信接続を確立できた場合には（ステップＳ５のＮＯ）、制御手段２２は、二次電池パック３０のＩＤ情報、及び図２に示す記憶手段６に記憶されている自機のメーカーと機種名の情報を、通信手段４によりサーバ５４宛てに送信し、この携帯電話機２と二次電池パック３０が互いに適合するかどうかについて問い合わせるようになっている（ステップＳ８）。
【００４８】
サーバ５４は、携帯電話機２から、二次電池パック３０のＩＤ情報、及びこの携帯電話機２のメーカーと機種名の情報を受信すると（ステップＳ９）、これらと一致する組合せが、図３に示す二次電池パック対応テーブルに記録されているかどうかを調査するようになっている（ステップＳ１０）。
【００４９】
そして、サーバ５４は、一致する組合せが二次電池パック対応テーブルに記録されていた場合には、「携帯電話機２と二次電池パック３０は互いに適合する」旨の判断結果を携帯電話機２に送信するようになっている（ステップＳ１１）。また、一致する組合せが記録されていなかった場合には、「適合しない」旨の判断結果を携帯電話機２に送信するようになっている（同じくステップＳ１１）。
【００５０】
携帯電話機２の制御手段２２は、通信手段４により、サーバ５４の判断結果を受信すると（ステップＳ１２）、この判断結果を確認するようになっている（ステップＳ１３）。
【００５１】
サーバ５４の判断結果が、「この携帯電話機２と二次電池パック３０は互いに適合する」旨のものであった場合には、二次電池パック３０に充電することを認証して（ステップＳ１３のＹＥＳ）、電源回路８に充電台４０から二次電池パック３０の二次電池３２への給電を開始させる（ステップＳ１４）。そして、図２に示す第２記憶手段６ｂの第３比較用情報を消去すると共に、図５中のステップＳ２で抽出した二次電池パック３０のＩＤ情報を新たな第３比較用情報として記憶させるようになっている（ステップＳ１５）。
【００５２】
また、サーバ５４の判断結果が、「この携帯電話機２と二次電池パック３０は互いに適合しない」旨のものであった場合には、制御手段２２は、二次電池パック３０に充電することを認証せず（ステップＳ１３のＮＯ）、電源回路８に給電を行なわせないようになっている（ステップＳ１６）。そして、表示手段１６又はスピーカー１２に、「二次電池パック３０が正規品ではなく模倣品等である疑いがあるため、給電動作を行なわない」旨をユーザーに報知させるようになっている（ステップＳ１７）。
【００５３】
このような携帯電話機２及び二次電池パック３０によれば、携帯電話機２が、記憶手段６の比較用情報と二次電池パック３０のＩＤ情報とを比較して、互いに適合するものであるかどうかを確認するようになっているので、適合しない二次電池パックを装着された状態で充電台４０に接続された場合には、この二次電池パックに対して充電が行なわれないようにして、二次電池パックや携帯電話機２が充電により破損するのを防止することができる。
【００５４】
また、携帯電話機２は、その記憶手段６に第１比較用情報ないし第３比較用情報の３つの比較用情報を記憶していると共に、非接触リーダ２０により二次電池パック３０からＩＤ情報を抽出した後、このＩＤ情報と比較用情報とを比較するようになっているので、二次電池パック３０がこの携帯電話機２に適合するかどうかを簡単に確認することができる。
【００５５】
また、携帯電話機２及び二次電池パック３０は、これらが一緒にユーザーに引き渡される場合には、携帯電話機２の記憶手段６に記憶される比較用情報と、二次電池パック３０のＩＤ情報とを互いに一致させた状態で引き渡すことが容易であるのに対して、携帯電話機２及び二次電池パック３０のそれぞれが別々にユーザーに引き渡される場合には、当初において記憶手段６の比較用情報と二次電池パック３０のＩＤ情報とを互いに対応させておくことが困難になるが、図５のフローチャートにおけるステップＳ８ないしステップＳ１３の手続処理により、携帯電話機２と二次電池パック３０との互いの適合性をサーバ５４に問い合わせるようになっているため、携帯電話機２と二次電池パック３０との互いの適合性を確実に確認することができる。
【００５６】
また、携帯電話機２は、この携帯電話機２と二次電池パック３０との互いの適合性をサーバ５４に問い合わせて、「適合する」旨の判断結果を受信した場合には、図５のフローチャートにおけるステップＳ１５の手続処理により、現在装着されている二次電池パック３０のＩＤ情報を新たな比較用情報として第２記憶手段６ｂに記憶するようになっているので、次回の充電の際には、適合性についてサーバ５４に問い合わせずに済むため、認証手続を簡単に行なうことができる。
【００５７】
また、第２記憶手段６ｂの第３比較用情報が、携帯電話機２に装着されている二次電池パック３０のＩＤ情報と一致する内容で記憶されていたとしても、この二次電池パック３０が取り外されると、第３比較用情報はその内容が消去されるようになっているので、消去される前の第３比較用情報が、その後に装着される二次電池パック３０に対して影響を与えることがないため、認証手続の確実性を向上させることができる。
【００５８】
また、携帯電話機２がサーバ５４との通信接続を確立することができなかった場合や、携帯電話機２と二次電池パック３０が互いに適合しなかった場合には、表示手段１６又はスピーカー１２により、これを報知するようになっているため、その旨をユーザーに認識させることができる。
【００５９】
また、携帯電話機２の制御手段２２は、電源回路８と充電台４０が回路接続してから図５に示すフローチャートの認証手続が終了するまでの間は、二次電池パック３０の二次電池３２ではなく、充電台４０側から直接電力の供給を受けるようになっているため、二次電池パック３０の二次電池３２の残量がない場合でも動作することができる。
【００６０】
また、携帯電話機２が非接触リーダ２０を備え、二次電池パック３０が非接触出力手段３６を備えて、前記ＲＦＩＤの技術による無線通信を行なうようになっているので、非接触出力手段３６は二次電池パック３０内に備えられているにも関わらず、二次電池パック３０の二次電池３２の残量がない場合でも、その影響を受けることなく動作することができる。
【００６１】
なお、本実施の形態では、図２に示すように、携帯電話機２の第１記憶手段６ａに、比較用情報として第１比較用情報と第２比較用情報の２つを記憶するようになっていたが、携帯電話機２をユーザーに引き渡す当初の段階で、この携帯電話機２に適合する二次電池パック３０の個数や種類、及びこれらの二次電池パック３０のそれぞれのＩＤ情報が明確になっている場合には、このＩＤ情報に応じて、第１記憶手段６ａに１つ又は３つ以上の比較用情報を記憶するようになっていてもよい。
【００６２】
また、本実施の形態では、図２に示すように、携帯電話機２の第１記憶手段６ａに、第１比較用情報と第２比較用情報の２つの比較用情報を記憶するようになっていたが、この第１記憶手段６ａが比較用情報を記憶しないようになっていてもよい。このような場合の認証手続は、図５のフローチャートにおけるステップＳ２ないしステップＳ７の処理手続が省略され、ステップ１の直後からステップＳ８以降の処理手続が継続されるようになる。
【００６３】
また、本実施の形態では、図２に示すように、携帯電話機２の記憶手段６が、第２記憶手段６ｂを備えて、この第２記憶手段６ｂに、比較用情報として第３比較用情報を記憶するようになっていたが、記憶手段６が第２記憶手段６ｂを備えない構成になっていてもよい。このような場合には、図５のフローチャートのステップＳ３において、ＩＤ情報が比較用情報に対応するものではないと判断した場合に、ステップＳ５を省略し、直ちにステップＳ６及びステップＳ７の処理手続を行ない、ステップＳ９ないしステップＳ１７の手続処理を行なわないようにすることはいうまでもない。
【００６４】
また、記憶手段６は、第２記憶手段６ｂを備えないようにすると共に、第１記憶手段６ａにフラッシュメモリを用いるようになっていてもよい。フラッシュメモリは不揮発性であるが、記憶した内容を消去したり、新たな内容を書込んだりすることができるので、このフラッシュメモリを用いた第１記憶手段６ａに比較用情報を記憶させるようにすれば、図５のフローチャート中におけるステップＳ１及びステップＳ１５の両方の手続処理において、第１記憶手段６ａが処理の対象となるようにすることにより、このフローチャートの各ステップのいずれかを省略することなく、全く同様の手順で認証手続を行なわせることができる。
【００６５】
また、本実施の形態では、二次電池パック３０のＩＤ情報は、それぞれの二次電池パック３０についての固有の情報として、二次電池パック３０ごとに互いに異なるものが付されるようになっていたが、特定の機種の携帯電話機２と互いに適合して装着することができる多数の二次電池パック３０に対して割当てるＩＤ情報の個数を、このような二次電池パック３０の個数よりも少なくなるように制限しておいて、このようなＩＤ情報の中から、複数の二次電池パック３０に対して同じＩＤ情報が割当てられるようになっていてもよい。
【００６６】
このように、複数の二次電池パック３０に対して同じＩＤ情報が割当てられるようにすれば、流通する二次電池パック３０の増加に伴なって、ＩＤ情報の桁数が増加したり、携帯電話機２の記憶手段６の記憶領域が不足したりする等の問題の発生を防止することができると共に、模倣の対象となり易くなることを防止する効果を維持することができる。
【００６７】
また、本実施の形態では、二次電池パック３０のＩＤ情報は、この二次電池パック３０のそれぞれに固有の情報として付されていたが、二次電池パック３０の種類ごとに共通のＩＤ情報が付されるようになっていてもよい。
【００６８】
また、本実施の形態では、図４に示すように、携帯電話機２から二次電池パック３０が取り外された場合に、この第２記憶手段６ｂの第３比較用情報が消去されるようになっていたが、二次電池パック３０が取り外されると共にこの二次電池パック３０と異なる他の二次電池パック３０が装着された場合に、第３比較用情報が消去されるようになっていてもよい。また、操作手段１８により、携帯電話機２の主電源を切断する操作が行なわれた場合に、第３比較用情報が消去されるようになっていてもよい。
【００６９】
また、本実施の形態とは別の実施の形態として、記憶手段６が第２記憶手段６ｂを備えず、第１記憶手段６ａにフラッシュメモリを用いるようにした場合には、携帯電話機２から二次電池パック３０が取り外されると共にこの二次電池パック３０と異なる他の二次電池パック３０が装着されたとき、又は携帯電話機２の主電源を切断する操作が行なわれたときに、第１記憶手段６ａに記憶されている比較用情報の全部又はその一部が消去されるようになっていてもよい。
【００７０】
また、本実施の形態では、携帯電話機２の非接触リーダ２０と二次電池パック３０の非接触出力手段３６の間で、前記ＲＦＩＤの技術による無線通信を行なうことによりＩＤ情報が抽出されるようになっていたが、このような非接触リーダ２０と非接触出力手段３６のそれぞれに代えて、二次電池パック３０を携帯電話機２に装着したときに互いに回路接続され、有線の通信により非接触リーダ２０及び非接触出力手段３６と同様の役割を果たすようになっているものを、携帯電話機２と二次電池パック３０のそれぞれに設けてもよい。
【００７１】
また、本実施の形態では、図５のステップＳ３において、二次電池パック３０のＩＤ情報が比較用情報に対応するかどうかを常に比較するようになっていたが、例えば、二次電池パック３０が携帯電話機２に装着されていなかったり、ＩＤ情報を保持しない二次電池パックが装着されていたりしたために、ステップＳ２においてＩＤ情報を抽出することができなかった場合には、ステップＳ３等を経由せずにステップＳ６及びステップＳ７に移行して、電源回路８に給電動作を行なわせないようにすると共に、認証することができなかった旨を報知するようになっていてもよい。このように動作させるには、ステップＳ２の直後に、ＩＤ情報を抽出することができたかどうかを判断する手続処理を割込ませればよい。
【００７２】
また、本実施の形態では、二次電池パック３０のＩＤ情報は、この二次電池パック３０についての固有の情報として、それぞれの二次電池パック３０ごとに異なるように付されているので、例えば、この二次電池パック３０の模倣品等が流通して同じＩＤ情報が複数のユーザーにより使用されているような場合には、サーバ５４は、図５のフローチャートにおけるステップＳ１０において、このような事実を容易に発見することができる。
【００７３】
このような場合には、サーバ５４は、「二次電池パック３０が模倣品である可能性がある」旨を携帯電話機２のメーカーに送信すると共に、「携帯電話機２と二次電池パック３０が互いに適合しないものである」旨の結果を携帯電話機２に送信するようになっていてもよい。
【００７４】
また、本実施の形態では、携帯電話機２及びこれに装着される二次電池パック３０に対し、本発明を適用した場合について説明したが、本発明は、ＰＤＡ（Ｐｅｒｓｏｎａｌ  Ｄｉｇｉｔａｌ  Ａｓｓｉｓｔａｎｔ）等の携帯電話機以外の携帯端末装置、及びこのような携帯端末装置の二次電池パックについても適用することができることはいうまでもない。
【図面の簡単な説明】
【００７５】
【図１】本発明の一実施の形態に係る携帯電話機２、二次電池パック３０及び充電台４０の回路構成、並びに通信網５２を示すブロック図である。
【図２】図１に示す記憶手段６の内部構成を示す図である。
【図３】図１に示すサーバ５４が記憶している二次電池パック対応テーブルである。
【図４】図１に示す携帯電話機２から二次電池パック３０が取り外されたときの手続処理を示すフローチャートである。
【図５】図１に示す携帯電話機２が充電台４０に接続されたときにおける制御手段２２の認証手続を示すフローチャートである。
【符号の説明】
【００７６】
２  携帯電話機
４  通信手段
６  記憶手段
８  電源回路
１０  音声処理手段
１２  スピーカー
１４  マイク
１６  表示手段
１８  操作手段
２０  非接触リーダ（ＩＤ抽出手段）
２２  制御手段
３０  二次電池パック
３２  二次電池
３４  認証用記憶手段
３６  非接触出力手段
４０  充電台（充電装置）
５０  基地局
５２  通信網
５４  サーバ
【図１】
2005341775.tif 000003
【図２】
2005341775.tif 000004
【図３】
2005341775.tif 000005
【図４】
2005341775.tif 000006
【図５】
2005341775.tif 000007